(57)【要約】【課題】    捕集した髪の毛などは直接手を触れることなく簡単に取り除くことができる汚物捕集用器具を提供する【解決手段】    保持部と汚物捕集用網袋とからなることを特徴とする汚物捕集用器具であるため、汚物捕集用網袋を保持部から取り外しそのまま破棄できるので、捕集した毛髪やごみ等の汚物の除去が容易に行える。【選択図】図１
2009068320.tif 000002
【特許請求の範囲】
【請求項１】
排水栓本体より排水口管中に垂設され下端に錘部を有する排水栓スライド軸に外周に嵌装されるとともに、前記排水口管内壁に近接配置される保持部を装着し、その保持部に汚物捕集用網袋を装着した保持部と汚物捕集用網袋からなる汚物捕集用器具。
【発明の詳細な説明】
【技術分野】
【０００１】  本発明は、洗面化粧台における洗面ボウルに設けられた排水口に排水と共に流れ込む髪の毛などの汚物を捕集しかつ捕集した汚物を簡単に取り除くことができる排水栓スライド軸へ装着した保持部とその保持部へ装着した汚物捕集用網袋とからなる排水栓用汚物捕集用器具に関するものである。
【背景技術】
【０００２】  従来、家庭の洗面ボウルの排水口には、排水栓が設けられると共にそこには、主にヘアキャッチャーという汚物捕集用器具が装着されている。洗面ボウルの排水は、その器具を介して排水口内に流入し、排水トラップ、排水パイプを経て流下し下水へ排出される様になっている。【０００３】  前記排水には髪の毛などの汚物が混ざることが多く、この排水は汚物捕集用器具を通過する際に引っかかって堆積して詰まらせることがあった。そこで、このように詰まりが起きると、排水が正常に行われず洗面ボウルに逆流し、あふれ出てしまうことがあるため、汚物捕集用器具に引っ掛かって詰まった髪の毛をしばしば手で取り除いていた。【０００４】  前に挙げた汚物捕集用器具の例として、特許文献１や特許文献２に開示されているものがある。
【特許文献１】特許公開２００５−３０７６１６
【特許文献２】特許公開２００５−３０７６１７
【０００５】  上記に挙げた従来の汚物捕集用器具に詰まった髪の毛の混ざった汚物は、排水に含まれる石鹸、垢、痰などが絡まりついてべたついたり、ヌルっとしており、これを手で直接触れ取り除くことは不潔であるばかりか大変不快、しかも煩わしく面倒であった。
【発明の開示】
【発明が解決しようとする課題】
【０００６】  本発明は、上記背景技術に鑑みて発明されたものであり、その課題は、従来の汚物捕集用器具の役割である良好な排水効率を確保するとともに、捕集した毛髪やごみ等の汚物を直接手で触れることなく容易に除去することができる汚物捕集用器具を提供する。
【課題を解決するための手段】
【０００７】  上記課題を解決するために、請求項１に係る発明の汚物捕集用器具にあっては、排水栓本体より排水口管中に垂設され下端に錘部を有する排水栓スライド軸の外周に嵌装されるとともに、前記排水口管内壁に近接配置される保持部を装着する。その保持部へ汚物捕集用網袋を装着する。これらの保持部と汚物捕集用網袋とからなることを特徴とする汚物捕集用器具である。【０００８】  保持部と汚物捕集用網袋とは、分離できる構造にすることで、汚物捕集用網袋を保持部から容易に取り外しを可能にし、汚物の堆積した際に保持部から取り外しそのまま破棄できる。その後、保持部へは新しい汚物捕集用網袋を装着する。これによって、良好な排水効率を確保するとともに、捕集した毛髪やごみ等の汚物を直接手で触れることなく容易に除去することができる。汚物捕集用網袋には、毛髪やごみ等の汚物と混合した排水から効率的に毛髪やごみ等の汚物と水分とを分離するフィルターの働きを持ったものを使用する。
【発明の効果】
【０００９】  本発明により、良好な排水効率を確保するとともに、捕集した毛髪やごみ等の汚物を直接手で触れることなく容易に除去することができる。
【発明を実施するための最良の形態】
【００１０】  以下、本発明の実施形態を図面に基づき説明する。図１は本発明の一実施形態である。ゴムなどの収縮性をもつ材料を用いた装着部をもった、汚物捕集用網袋を保持部へ装着していることを特徴としている。保持部と汚物捕集用網袋の装着の概略を模式的に示す要部断面図である。【００１１】  図２は、本発明の異なる一実施形態である。保持部にカギ爪状の構造を用いて、汚物捕集用網袋を保持部へ装着していることを特徴としている。保持部と汚物捕集用網袋の装着の概略を模式的に示す要部断面図である。【００１２】  それぞれの実施形態は、洗面化粧台における洗面ボウルの排水栓の排水口管に適用可能である。すなわち、排水栓の上部に排水栓本体が配置され、この排水栓本体の下面周囲には、Ｏリングが取付けられている。【００１３】  さらに、本実施形態の汚物捕集用器具は、図１に示すように、排水栓本体より排水口管中に垂設され、錘部を有する排水栓スライド軸の外周に嵌装されるとともに、排水口管の内壁に近接配置される保持部から前記排水栓スライド軸の外周まで、排水中の汚物を捕集し得る汚物捕集用網袋である。【００１４】  この場合、毛髪やごみ等の汚物が混入した排水は、排水口管中に流入し、汚物捕集用器具を通過する。その際、排水は、この保持部に装着された汚物捕集用網袋を通過してさらに下方に流下する。一方、排水口管中に流入した毛髪やごみ等の汚物は、最終的には、汚物捕集用網袋に集積されることとなる。この結果、毛髪やごみ等の汚物は、汚物捕集用網袋に集積される一方、毛髪やごみ等の汚物で完全に塞がれることはなく、良好な排水効率を確保し得ることとなる。【００１５】  このように、本実施形態の汚物捕集用器具によれば、排水管が毛髪やごみ等の汚物で塞がれる等の不具合がなく、良好な排水効率を確保し得ることは勿論、汚物捕集用網袋によって毛髪やごみ等の汚物が効率的に捕集でき、さらに汚物捕集用網袋を保持部から取り外しそのまま破棄できるので、捕集した毛髪やごみ等の汚物の除去が容易に実現し得ることとなる。なお、本実施形態の汚物捕集用網袋の材質は、特に限定するものではなく、汚物と排水との分離効率の高い物を使用することで、毛髪やごみ等の汚物を、一層、効率的に捕集し得ることとなる。【００１６】  なお、本発明の汚物捕集用器具は、上記の実施形態にのみ限定されるものではなく、本発明の要旨を逸脱しない範囲内において種々変更を加え得ることは勿論である。さらに、本発明の汚物捕集用器具は、上記実施形態に示すような洗面化粧台における洗面ボウルの排水口に係るもののみならず、浴槽の排水口、台所の排水口等においても同様に応用可能である。
【産業上の利用可能性】
【００１７】  本発明に係る汚物捕集用網袋は、工業的に量産することが可能であるため、産業上の利用可能性を有する。
【図面の簡単な説明】
【００１８】
【図１】  排水栓スライド軸に装着した保持部へ、汚物捕集用網袋を装着した例を模式的に示した断面図である。ゴムなどの収縮性をもつ材料を用いた装着部をもった、汚物捕集用網袋を保持部へ装着していることを示す。
【図２】  排水栓スライド軸に装着した保持部へ、汚物捕集用網袋を装着した例を模式的に示した断面図である。保持部にカギ爪状の構造を用いて、汚物捕集用網袋を保持部へ装着していることを示す。
【図３】  保持部の例を模式的に示した上視図である。ゴムなどの収縮性をもつ材料を用いた汚物捕集用網袋を装着するために、装着部に溝があることを示す。
【図４】  保持部の例を模式的に示した上視図である。カギ爪状の突起をもった構造であることを示す。
【符号の説明】
【００１９】  １    排水栓本体
２ａ  装着部に溝がある保持部
２ｂ  カギ爪状の突起をもった保持部
３    排水栓スライド軸
４    錘部
５    装着部の溝
６ａ  ゴムなどの収縮性をもつ材料を用いた装着部をもった汚物捕集用網袋
６ｂ  カギ爪状の突起をもった保持部用の装着部をもった汚物捕集用網袋
７    内環
８    水切り穴
９    保持部のカギ爪状の突起
１０  Ｏリング
【図１】
2009068320.tif 000003
【図２】
2009068320.tif 000004
【図３】
2009068320.tif 000005
【図４】
2009068320.tif 000006